(57)【要約】      （修正有）【課題】容器本体に収納された粉粒体の吐出量を中央部からは多く、外縁部からは少なく吐出することのできる収納容器を提供する。【解決手段】粉粒体を収納する容器本体１と、容器本体１の上端開口部４に嵌着される内蓋５と、内蓋５を覆う状態で容器本体１の上部に装着される着脱自在な外蓋２とを備え、内蓋５に容器本体１内の粉粒体を吐出せしめるための吐出口７Ａ、７Ｂが所定範囲内に複数穿設されている収納容器において、吐出口７Ａ，７Ｂが内蓋５の中心から外縁部に近づくにしたがって小さくなるように設けられている。【選択図】図４
0003117936.tif 000002
【実用新案登録請求の範囲】
【請求項１】
粉粒体を収納する容器本体と、該容器本体の上端開口部に嵌着される内蓋と、該内蓋を覆う状態で前記容器本体の上部に装着される着脱自在な外蓋とを備え、前記内蓋に容器本体内の粉粒体を吐出せしめるための吐出口が所定範囲内に複数穿設されている収納容器において、
前記吐出口が内蓋の中心から外縁部に近づくにしたがって小さくなるように設けられていることを特徴とする収納容器。
【請求項２】
粉粒体が短繊維状の合成高分子から成る人工毛である請求項１に記載の収納容器。
【考案の詳細な説明】
【技術分野】
【０００１】
本考案は内容物を対象物に少量ずつ振り掛けるのに用いられる散布式の収納容器に係わり、特に短繊維状の合成高分子から成る人工毛をはじめとする粉粒体を内容物として、その吐出量の調整可能にした収納容器に関する。
【背景技術】
【０００２】
従来、短繊維状の合成高分子から成る人工毛ほか、塩や胡椒といった粉粒体を収納する容器として図５に示すようなものが知られ、一般に広く普及している。
【０００３】
収納容器に収容される粉粒体の量を調節するために、従来技術として、本体１１の頂壁に開口面積の異なる二つの振出し孔１３A、１３Bを開設し、本体に蓋体１４を回動自在に組付け、この本体に対する蓋体の回動位置を選定することにより、一方の振出し孔だけを開放し、もって振出し量を選択調整できるようにしたものが知られている。
【０００４】
以上のような収納容器によれば、容器本体を逆さにしながら上下に振ることにより、粉粒体で成る内容物を対象物上に適量ずつ撒き散らすことができる。そして振出し孔の大きさを変えることによって、吐出量を調整することができる（例えば特許文献１）。
【０００５】
また、特許文献２には封止フィルムを用い吐出口を制限することによって、振りかける領域や量を変化させる構造の収納容器が開示されている。この封止フィルムはポリエチレンやポリプロピレンといった合成樹脂から成る円形状のもので、その片面は内蓋の表面に貼着するための粘着面とされる。特に、係る封止フィルム６はミシン目から成る不連続の切目により複数の剥離領域に区分され、その各剥離領域が切目ｃの位置で個々に切り離し可能とされている。各剥離領域を区分する切目は同心円状に形成されることから、中心部分の剥離領域を剥離した場合、小さな面積に対しても内容物をスポット状にして集中的に散布することができるのである。
【０００６】
【特許文献１】実公平06-006052号公報
【特許文献２】実用新案登録第３１０７４４５号公報
【考案の開示】
【考案が解決しようとする課題】
【０００７】
然しながら、特許文献１の容器を用いて振りかけても、片側の孔の大きさはいずれも同径の吐出孔であったため、生え際等の部分に人口毛を振りかけようとすると、同量の人工毛が振りかけられてしまうため、濃さのぼかしがきかず、頭髪の自然な印象を表現することは困難であった。
【０００８】
本考案は以上のような事情に鑑みて成されたものであり、その目的は容器本体に収納された粉粒体の吐出量を、中心部分からは多く、外縁部分からは少なく吐出させることのできる収納容器を提供することにあり、特に人工毛を振りかける際に、生え際のぼかしを容易にさせて、自然な風合いの毛髪とすることを目的としている。
【課題を解決するための手段】
【０００９】
（１）粉粒体を収納する容器本体と、該容器本体の上端開口部に嵌着される内蓋と、該内蓋を覆う状態で前記容器本体の上部に装着される着脱自在な外蓋とを備え、前記内蓋に容器本体内の粉粒体を吐出せしめるための吐出口が所定範囲内に複数穿設されている収納容器において、前記吐出口が内蓋の中心から外縁部に近づくにしたがって小さくなるように設けられていることを特徴とする収納容器を提供することにより、前記課題を解決する。
【００１０】
（２）粉粒体が短繊維状の合成高分子から成る人工毛である（１）に記載の収納容器。
【考案の効果】
【００１１】
本考案によれば、内容物の吐出口が複数穿設される内蓋において、前記吐出口が内蓋の中心から外縁部に近づくにしたがって小さくなるように設けられているため、粉粒体を中心部分からは多く、そして外縁部分からは少なく吐出させることができる。そのため、内容物としての粉粒体が短繊維状の合成高分子から成る人工毛である場合に、生え際に振りかけられる人工毛が大量に流出することがなく、より自然な頭髪に仕上げることができる。
【００１２】
さらに、当該吐出口の大きさが段階的に小さくなることにより、生え際のぼかしをさらに容易に表現することができる。
【考案を実施するための最良の形態】
【００１３】
以下、本考案を図面に基づいて詳しく説明する。図１は本考案に係る収納容器を示した側面図である。
【００１４】
図１において、１は所定の容積を有する容器本体であり、その内部には粉粒体として合成高分子から成る短繊維状の人工毛が収納される。尚、容器本体１はガラスやプラスチックなど様々な材料から形成できるが、これをＥＶＡ、軟質ポリエチレン、ポリブテンほか、基材に可塑剤を加えた弾性変形可能な軟質合成樹脂製にして、内容物をスクィーズ操作や振掛け操作で吐出させることができる。
【００１５】
又、２は容器本体１の上部に装着される着脱自在な外蓋（キャップ）であり、この外蓋２は円盤状の天板部２Ａと、その周縁より垂下する円筒状のスカート部２Ｂとで構成される。尚、係る外蓋２は非使用時に容器本体１の上部に装着されて容器本体１内への異物の混入や内容物の飛散を防止する働きをする。
【００１６】
次に、図２は外蓋を破断した状態を示す。この図で明らかなように、容器本体１の上部には外周に雄ねじをもつ円筒状のネック部３が形成され、その内側が容器本体１内へ人工毛を導入するための円形状の上端開口部４とされている。
【００１７】
又、容器本体１の上端開口部４には内蓋５が嵌着される。そして、外蓋２は内蓋５を覆う状態で容器本体１の上部に装着されるのであり、その装着手段としてスカート部２Ｂの内周面にはネック部３の雄ねじと螺合する雌ねじが形成される。尚、外蓋２は図示のようなねじ式に限らず、凹凸の噛み合わせによるワンタッチの着脱方式にしてもよい。
【００１８】
次に、図３は容器本体の上部断面を示す。この図で明らかなように、本例において内蓋５は、容器本体１における上端開口部４の内側に嵌め込まれる断面凹字形の第１目皿５Ａと、上端開口部４の外側に嵌着される第２目皿５Ｂとで構成される。第１目皿５Ａと第２目皿５Ｂは、容器本体１内の内容物（人工毛）を吐出せしめるための吐出口７Ａ，７Ｂが複数穿設される多孔状のプラスチック構造物であり、特に本例では第２目皿５Ｂに対して第１目皿５Ａの各吐出口７Ａが大きく設定され、内容物が目詰まりすることなく良好に吐出される構成としてある。
【００１９】
但し、内蓋５は第１目皿５Ａと第２目皿５Ｂから成る二重構造であることに限らず、その構成として第１目皿５Ａと第２目皿５Ｂの何れか一方を省略してもよい。
【００２０】
次に、図４は内蓋の平面図を示す。この図で明らかなように、吐出口７Bは内蓋５（図示例において第２目皿５Ｂ）の全域に亙って所定の間隔で穿設される。尚、各吐出口７Ｂは図示例のような丸孔に限らず、これを角孔としても差し支えない。内蓋の領域を同心円状に分け、各領域内に存在する孔の大きさを、内蓋の周縁部に近づくにしたがって小さくすることにより、周縁部より吐出する粉粒体の量を調節することができる。
【００２１】
例えば内蓋の領域をＡ，Ｂ，Ｃに三分割する。まず、Ａ領域として、中心から内蓋半径の半分の大きさの円の内側をＡ領域とすることができる。さらにＢ領域はＡ領域の外側にあって、Ａ領域の外縁から内蓋の外縁までの距離を等分し、Ａ領域側に存在する領域とすることができる。加えてＣ領域はＢ領域の外側にあって、内蓋の周縁部までの領域とすることができる。そして各領域に存在する孔の面積をＡ＞Ｂ＞Ｃとすることができる。例えばＡ領域には直径１．４ｍｍ、Ｂ領域には直径１．２ｍｍ、Ｃ領域には直径１．０ｍｍの孔を用いることができる。
【００２２】
上記例では容器本体１に収納される粉粒体を合成高分子から成る短繊維状の人工毛としたが、係る粉粒体として調味料や化粧料などを容器本体１に収納してもよい。
【図面の簡単な説明】
【００２３】
【図１】本考案に係る収納容器を示した側面図
【図２】同容器を部分的に破断して示した側面図
【図３】容器本体の上部を示した拡大図
【図４】内蓋の平面図
【図５】従来の収納容器の上部の斜視図
【符号の説明】
【００２４】
１  容器本体
２  外蓋
３  ネック部
４  上端開口部
５  内蓋
５Ａ  第１目皿
５Ｂ  第２目皿
７Ａ，７Ｂ  吐出口
【図１】
0003117936.tif 000003
【図２】
0003117936.tif 000004
【図３】
0003117936.tif 000005
【図４】
0003117936.tif 000006
【図５】
0003117936.tif 000007